(57)【要約】【課題】ジョイントコネクタと嵌合するコネクタであって、ジョイントコネクタの組付完了後であってもノイズ低減部材の配置を変更可能なコネクタを提供すること。【解決手段】コネクタ１は、互いに導通接続された複数の相手側端子４３を収容する相手側コネクタ４０と嵌合可能なハウジング１０と、ハウジング１０に組み付けられるフォルダ２０とを備える。ハウジング１０は、相手側コネクタ４０とハウジング１０との嵌合時にて複数の相手側端子４３と接続される複数の端子Ｔを収容するための複数の端子収容室１１を備える。フォルダ２０は、ハウジング１０への組付完了状態において、複数の端子収容室１１に収容された複数の端子Ｔそれぞれから発生するノイズを低減する複数のノイズ低減部材３０が、複数の端子Ｔそれぞれの前端面に隣接して配置されるように、複数のノイズ低減部材３０を保持するための複数のノイズ低減部材保持室２５を備える。【選択図】図２
2019067736.tif 000002
【特許請求の範囲】
【請求項１】
互いに導通接続された複数の相手側端子を収容する相手側コネクタの相手側ハウジング、と嵌合可能なハウジングと、
前記ハウジングに組み付けられるフォルダと、
を備えたコネクタであって、
前記ハウジングは、
前記相手側ハウジングと前記ハウジングとの嵌合時にて前記複数の相手側端子と接続される複数の端子を収容するための複数の端子収容室を備え、
前記フォルダは、
前記ハウジングへの組付完了状態において、前記複数の端子収容室に収容された前記複数の端子それぞれから発生するノイズを低減する複数のノイズ低減部材が、前記複数の端子それぞれの前端面に隣接して配置されるように、前記複数のノイズ低減部材を保持するための複数のノイズ低減部材保持室を備える、
コネクタ。
【請求項２】
請求項１に記載のコネクタにおいて、
前記フォルダは、
前記ハウジングへの組付完了状態において、前記複数の端子収容室に収容された前記複数の端子それぞれの所定箇所と係合して前記複数の端子の抜けを防止する係止部を備える、
コネクタ。
【請求項３】
請求項１又は２に記載のコネクタにおいて、
前記フォルダは、
前記ハウジングへの組付完了状態において、前記ノイズ低減部材保持室に前記ノイズ低減部材が保持されているか否かを外部から確認するための確認窓を備える、
コネクタ。
【請求項４】
請求項１〜請求項３の何れか一項に記載のコネクタにおいて、
前記複数の端子収容室に収容される前記複数の端子のうち、一部の端子が、電気回路を構成する幹線及び支線のうちの幹線と電気的に接続される幹線接続用端子であり、残りの端子が、前記電気回路を構成する支線と電気的に接続される支線接続用端子であり、
前記幹線接続用端子に対応する前記ノイズ低減部材保持室には前記ノイズ低減部材が保持されず、
前記支線接続用端子の一部又は全部に対応する前記ノイズ低減部材保持室には前記ノイズ低減部材が保持される、
コネクタ。
【請求項５】
請求項１〜請求項４の何れか一項に記載のコネクタにおいて、
前記ノイズ低減部材は、フェライトを含んで構成される、
コネクタ。
【発明の詳細な説明】
【技術分野】
【０００１】
本発明は、互いに導通接続された複数の相手側端子を収容する相手側コネクタ（ジョイントコネクタ）と嵌合するコネクタに関する。
【背景技術】
【０００２】
従来から、互いに導通接続された複数の端子を保持するハウジングを備えたコネクタが広く知られている。この種のコネクタは、ジョイントコネクタとも呼ばれる。ジョイントコネクタは、典型的には、電気回路を構成する幹線から支線を分岐させるために、幹線及び支線と接続されたコネクタと嵌合されて使用される。
【０００３】
このように幹線から支線を分岐させるためにジョイントコネクタが使用される場合、主として、端末抵抗が幹線より大きい支線にて、反射波に起因するノイズ（リンギング）が発生し易い。
【０００４】
このノイズを低減するため、例えば、従来のジョイントコネクタの一つは、ハウジングに保持された複数の端子の全てに対応してノイズを低減するノイズ低減部材がそれぞれ設けられている（例えば、特許文献１を参照）。このように、複数の端子の全てに対応してノイズ低減部材がそれぞれ設けられているので、１種類のジョイントコネクタを多種類の電気回路に共通して使用することができる。
【先行技術文献】
【特許文献】
【０００５】
【特許文献１】特開２０１２−６９２７０号公報
【発明の概要】
【発明が解決しようとする課題】
【０００６】
幹線から支線を分岐させるためにジョイントコネクタが使用される場合、支線と比べて端末抵抗が小さい幹線ではノイズが発生し難い。また、複数の支線のうちで長さが短いものでは、端末抵抗が小さくなるので、幹線と同様にノイズが発生し難い。換言すれば、ジョイントコネクタが有する複数の端子のうちで、ノイズ低減部材を配置する必要性が低い端子が存在し得る。
【０００７】
上述した従来のジョイントコネクタでは、ノイズ低減部材を配置する必要性が低い端子が存在し得るにもかかわらず、複数の端子の全てに対応してノイズ低減部材がそれぞれ設けられている。このことは、ジョイントコネクタ全体として肥大化・高コスト化に繋がる。
【０００８】
このようなジョイントコネクタ全体としての肥大化・高コスト化を抑制するためには、複数の端子のうちノイズが比較的発生し易い端子のみにノイズ低減部材を配置することが考えられる。しかしながら、この場合、ジョイントコネクタの組付完了後では、ノイズ低減部材の配置を変更することができないという問題が生じ得る。この問題は、ジョイントコネクタ側にノイズ低減部材を配置することに起因する。
【０００９】
本発明は、上述した事情に鑑みてなされたものであり、その目的は、ジョイントコネクタである相手側コネクタと嵌合するコネクタであって、相手側コネクタの組付完了後であってもノイズ低減部材の配置を変更可能なコネクタを提供することにある。
【課題を解決するための手段】
【００１０】
前述した目的を達成するために、本発明に係るコネクタは、下記（１）〜（５）を特徴としている。
（１）
互いに導通接続された複数の相手側端子を収容する相手側コネクタの相手側ハウジング、と嵌合可能なハウジングと、
前記ハウジングに組み付けられるフォルダと、
を備えたコネクタであって、
前記ハウジングは、
前記相手側ハウジングと前記ハウジングとの嵌合時にて前記複数の相手側端子と接続される複数の端子を収容するための複数の端子収容室を備え、
前記フォルダは、
前記ハウジングへの組付完了状態において、前記複数の端子収容室に収容された前記複数の端子それぞれから発生するノイズを低減する複数のノイズ低減部材が、前記複数の端子それぞれの前端面に隣接して配置されるように、前記複数のノイズ低減部材を保持するための複数のノイズ低減部材保持室を備える、
コネクタであること。
（２）
上記（１）に記載のコネクタにおいて、
前記フォルダは、
前記ハウジングへの組付完了状態において、前記複数の端子収容室に収容された前記複数の端子それぞれの所定箇所と係合して前記複数の端子の抜けを防止する係止部を備える、
コネクタであること。
（３）
上記（１）又は（２）に記載のコネクタにおいて、
前記フォルダは、
前記ハウジングへの組付完了状態において、前記ノイズ低減部材保持室に前記ノイズ低減部材が保持されているか否かを外部から確認するための確認窓を備える、
コネクタであること。
（４）
上記（１）〜（３）の何れか１つに記載のコネクタにおいて、
前記複数の端子収容室に収容される前記複数の端子のうち、一部の端子が、電気回路を構成する幹線及び支線のうちの幹線と電気的に接続される幹線接続用端子であり、残りの端子が、前記電気回路を構成する支線と電気的に接続される支線接続用端子であり、
前記幹線接続用端子に対応する前記ノイズ低減部材保持室には前記ノイズ低減部材が保持されず、
前記支線接続用端子の一部又は全部に対応する前記ノイズ低減部材保持室には前記ノイズ低減部材が保持される、
コネクタであること。
（５）
上記（１）〜（４）の何れか１つに記載のコネクタにおいて、
前記ノイズ低減部材は、フェライトを含んで構成される、
コネクタであること。
【００１１】
上記（１）の構成のコネクタによれば、ノイズ低減部材が、相手側コネクタ（＝ジョイントコネクタ）側ではなく、相手側コネクタと嵌合する本構成のコネクタ側に配置される。従って、相手側コネクタ（＝ジョイントコネクタ）の組付完了後であっても、本構成のコネクタの組付時において、ノイズ低減部材を配置すべき端子に対応するノイズ低減部材保持室にノイズ低減部材を配置することで、ノイズ低減部材の配置を自由に変更・調整することができる。更に、相手側コネクタにはノイズ低減部材を配置する必要がないので、相手側コネクタの肥大化・高コスト化を抑制できる。
【００１２】
上記（２）の構成のコネクタによれば、端子の抜けを防止するための専用の部材をハウジングに組み付けることなく、且つ、ハウジング側に端子の抜けを防止する構成（いわゆるランス）を設けることなく、ハウジングにフォルダを組み付けるだけで、端子の抜けを防止することができる。
【００１３】
上記（３）の構成のコネクタによれば、ハウジングへのフォルダの組付完了後において、確認窓を利用して、ノイズ低減部材の配置を確認することができる。
【００１４】
上記（４）の構成のコネクタによれば、ノイズが発生し難い幹線接続用端子にはノイズ低減部材が配置されず、ノイズが発生し易い支線接続用端子の一部又は全部にノイズ低減部材が配置される。従って、幹線から支線を分岐させるために本構成のコネクタ及び相手側コネクタ（＝ジョイントコネクタ）が使用される場合において、ノイズが比較的発生し易い端子のみにノイズ低減部材を適切に配置することができる。
【００１５】
更に、幹線を介して複数のコネクタを直列に接続する場合において、複数のコネクタを介挿しながら延びる幹線内にて、ノイズ低減部材が多数箇所に配置されない。このため、幹線の一端側から他端側に信号が伝達される場合において、ノイズ低減部材が幹線内の多数箇所に配置されることに起因して信号の入力波形に対する出力波形の乱れが過度に大きくなる現象が発生し難くなる（この点については後に詳述する）。
【００１６】
上記（５）の構成のコネクタによれば、ノイズ低減部材は、ノイズ低減能力が非常に高いフェライトを含んで構成されるので、ノイズ低減作用を安定して確実に発揮することができる。
【発明の効果】
【００１７】
本発明によれば、ジョイントコネクタである相手側コネクタと嵌合するコネクタであって、相手側コネクタの組付完了後であってもノイズ低減部材の配置を変更可能なコネクタを提供できる。
【００１８】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１９】
【図１】図１（ａ）は、本発明の実施形態に係るコネクタの斜視図であり、図１（ｂ）は、そのコネクタの下面図（背面図）である。
【図２】図２は、図１に示したコネクタ、及び、そのコネクタに嵌合されるジョイントコネクタの分解斜視図である。
【図３】図３は、図１に示したコネクタのフォルダに設けられた全てのノイズ低減部材保持室にノイズ低減部材が保持される場合を示す図である。
【図４】図４は、図１に示したコネクタを幹線を介して直列に接続した構成を示す模式図である。
【図５】図５は、ノイズ低減部材が何れの端子にも配置されない第１比較例についての図４に対応する図である。
【図６】図６は、図５に示した第１比較例についての幹線における入出力波形の一例を示すグラフである。
【図７】図７は、ノイズ低減部材が全ての端子にそれぞれ配置される第２比較例についての図４に対応する図である。
【図８】図８は、図７に示した第２比較例についての幹線における入出力波形の一例を示すグラフである。
【図９】図９は、図４に示した構成についての幹線における入出力波形の一例を示すグラフである。
【発明を実施するための形態】
【００２０】
本発明に関する具体的な実施形態について、各図を参照しながら以下に説明する。
【００２１】
＜実施形態＞
以下、図面を参照しながら、本発明の実施形態に係るコネクタ１について説明する。図１に示すコネクタ１は、典型的には、電気回路を構成する幹線から支線を分岐させるために、幹線及び支線と接続された複数の端子Ｔを収容すると共に、ジョイントコネクタ４０と嵌合されて使用される（後述する図２等を参照）。ジョイントコネクタとは、互いに導通接続された複数の端子を備えたコネクタを指す。電気回路を構成する電線（幹線及び支線）の各々は、「２線式作動電圧方式」で信号を伝達するための２本線（ツイスト線）で構成される。
【００２２】
図１および図２に示すように、本発明の実施形態に係るコネクタ１は、ハウジング１０と、ハウジング１０に組み付けられるフォルダ２０と、を備える。フォルダ２０は、主として、ノイズ低減部材３０を端子Ｔに対応して配置するためにハウジング１０に組み付けられる部材である。以下、説明の便宜上、図２に示すように、「嵌合方向」、「幅方向」、「上下方向」、「前」、「後」、「上」、及び「下」を定義する。「嵌合方向」、「幅方向」及び「上下方向」は、互いに直交する。
【００２３】
樹脂製のハウジング１０は、略直方体状の形状を有している。ハウジング１０には、複数の端子Ｔを収容するための嵌合方向に貫通する複数の端子収容室１１が、上下２段で幅方向に複数（本例では、４つ）並ぶように、形成されている。上側の端子収容室１１には、２本線（ツイスト線）を構成する一方の電線Ｗｓに接続された端子Ｔが収容され、下側の端子収容室１１には、他方の電線Ｗｇに接続された端子Ｔが収容される。
【００２４】
ハウジング１０の下部における嵌合方向の中央部付近には、下方に開口し且つ幅方向に延びて貫通する切欠部１２が、複数の端子収容室１１を分断するように形成されている。切欠部１２には、後にフォルダ２０の係止部２２が挿入されることになる。
【００２５】
ハウジング１０幅方向両側面における切欠部１２に対応する部位には、一対の仮係止部１３、及び、一対の本係止部１４が形成されている。一対の本係止部１４は、一対の仮係止部１３に対して僅かに上方の位置に形成されている。
【００２６】
樹脂製のフォルダ２０は、底板部２１と、底板部２１の後端部から上方に突出するように設けられた係止部２２と、底板部２１の前端部から上方に突出するように設けられたノイズ低減部材保持部２４と、を備える。
【００２７】
係止部２２には、複数の端子収容室１１の一部が形成されている。ハウジング１０の切欠部１２にフォルダの係止部２２が挿入されることで（即ち、ハウジング１０にフォルダ２０が組み付けられることで）、ハウジング１０内で分断されていた複数の端子収容室１１が補完されるようになっている。
【００２８】
係止部２２の幅方向両側の上端部には、一対の係止爪２３が設けられている。ハウジング１０の切欠部１２にフォルダ２０の係止部２２が挿入される際、一対の係止爪２３は、一対の仮係止部１３、及び、一対の本係止部１４の何れか一方に選択的に係止され得るようになっている。一対の係止爪２３が一対の仮係止部１３に係止されている状態では、フォルダ２０が仮係止位置に保持され、一対の係止爪２３が一対の本係止部１４に係止されている状態では、フォルダ２０が本係止位置（組み付け完了位置）に保持されるようになっている。仮係止位置及び本係止位置については後述する。
【００２９】
ノイズ低減部材保持部２４には、ノイズ低減部材３０を保持するためのノイズ低減部材保持室２５が形成されている。本例では、４つのノイズ低減部材保持室２５が幅方向に並ぶように形成されている。各ノイズ低減部材保持室２５は、ノイズ低減部材３０の形状に応じた形状を有する後方に開口する直方体状の凹部である。フォルダ２０の本係止位置（組み付け完了位置）にて、４つのノイズ低減部材保持室２５の開口が、複数の端子収容室１１の前端開口と近接して対向するようになっている。
【００３０】
各ノイズ低減部材保持室２５の底壁（前側壁）には、ジョイントコネクタ４０に配置された端子４３を挿通するための前後方向に延びる貫通孔（図示省略）が上下方向の２箇所に形成されている。ノイズ低減部材保持部２４の下面には、ノイズ低減部材保持室２５にノイズ低減部材３０が保持されているか否かを外部から確認するための確認窓２６（貫通孔）が、４つのノイズ低減部材保持室２５それぞれに対応して設けられている（図１（ｂ）を参照）。
【００３１】
ノイズ低減部材３０は、端子Ｔに発生するノイズ（具体的には、反射波に起因するノイズ等）を低減するために端子Ｔに対応して配置される部材である。ノイズ低減部材３０は、ノイズ低減部材保持室２５の形状に応じた略直方体状の形状を有する塊であり、本例では、フェライトで構成されている。なお、ノイズ低減部材３０は、フェライトを含む材料で構成されることが好ましいが、端子Ｔに発生するノイズを低減可能な材料である限りにおいて任意の材料で構成され得る。
【００３２】
ノイズ低減部材３０には、上下方向の２箇所に端子４３を挿通するための貫通孔３１が形成されている。ノイズ低減部材３０は、４つのノイズ低減部材保持室２５それぞれに対して個別に、後方から挿入され保持され得るようになっている。ノイズ低減部材３０がノイズ低減部材保持室２５に保持された状態では、上側及び下側の貫通孔３１がそれぞれ、ノイズ低減部材保持室２５の底壁に形成された上側及び下側の貫通孔と同軸的に配置される。
【００３３】
ノイズ低減部材３０は、図３に示すように、４つのノイズ低減部材保持室２５の全てに保持されてもよいし、図２に示すように、４つのノイズ低減部材保持室２５の一部にのみ保持されてもよい。図２に示す例では、４つのノイズ低減部材保持室２５のうち幅方向内側の２つのノイズ低減部材保持室２５にのみノイズ低減部材３０が配置されている。
【００３４】
この場合、ノイズが発生し易い電線（例えば、電気回路の支線）と接続されている端子Ｔに対応するノイズ低減部材保持室２５にはノイズ低減部材３０が配置され、ノイズが発生し難い電線（例えば、電気回路の幹線）と接続されている端子Ｔに対応するノイズ低減部材保持室２５にはノイズ低減部材３０が配置されないことが好適である。
【００３５】
このように、フォルダ２０では、ノイズ低減部材３０の配置パターンを自由に変更・調整することができる。また、フォルダ２０のハウジング１０への組み付け完了後であっても、４つのノイズ低減部材保持室２５のうち何れのノイズ低減部材保持室２５にノイズ低減部材３０が保持されているかを確認窓２６により確認することができる。
【００３６】
ノイズ低減部材３０が所望の配置パターンでノイズ低減部材保持室２５に保持された後、フォルダ２０がハウジング１０に組み付けられる。フォルダ２０がハウジング１０に組み付けられる際、先ず、フォルダ２０の一対の係止爪２３をハウジング１０の一対の仮係止部１３に係止させることで、フォルダ２０が仮係止位置に保持される。
【００３７】
次いで、４本の電線Ｗ（２本線（ツイスト線）を構成する各電線Ｗｓ、Ｗｇを区別して数えれば、合計８本の電線）が接続された４本の端子Ｔ（メス端子。信号線用の端子とＧＮＤ線用の端子とを区別して数えれば、合計８本の端子Ｔ）が、ハウジング１０の対応する端子収容室１１に所定の挿入完了位置までそれぞれ挿入される。ここで、フォルダ２０が仮係止位置にある状態では、端子Ｔがフォルダ２０に邪魔されることなく端子収容室１１に挿入完了位置まで挿入され得る。
【００３８】
次に、この状態から、ハウジング１０に対してフォルダ２０を上方に押圧することで、ハウジング１０に対してフォルダ２０を僅かに上方に移動させて、フォルダ２０の一対の係止爪２３の係止対象を、ハウジング１０の一対の仮係止部１３から一対の本係止部１４へと移動させる。即ち、フォルダ２０が本係止位置（組み付け完了位置）に保持されることで、フォルダ２０の組み付け（従って、コネクタ１の組み付け）が完了する。
【００３９】
この組み付け完了状態では、ノイズ低減部材保持室２５に保持されているノイズ低減部材３０が、端子収容室１１に収容されている対応する上下２段の端子Ｔの前端面に隣接して配置される。
【００４０】
加えて、フォルダ２０の係止部２２における端子収容室１１を構成する枠体部分が、端子Ｔの切欠部Ｔ１に進入することで、端子Ｔの挿入完了位置からの抜けが防止される。即ち、端子Ｔの抜けを防止するための専用の部材をハウジング１０に組み付けることなく、且つ、ハウジング１０側に端子の抜けを防止する構成（いわゆるランス）を設けることなく、ハウジング１０にフォルダ２０を組み付けるだけで、端子Ｔの抜けを防止することができる。なお、ハウジング１０にランスを設けることで、このランスとフォルダ２０の係止部２２とで、所謂２重係止構造を達成することも可能である。
【００４１】
このように、本例では、フォルダ２０は、ノイズ低減部材３０を端子Ｔの前端面に隣接して配置する機能と、端子収容室１１に収容された端子Ｔの抜けを防止する機能と、を併せ持つ。
【００４２】
図１に示す（組み付けが完了し且つ端子Ｔが収容された）コネクタ１は、図２に示すように、ジョイントコネクタ４０と嵌合されて使用される。ジョイントコネクタ４０は、ジョイントコネクタハウジング４１と、バスバー４２と、を有する。
【００４３】
樹脂製のジョイントコネクタハウジング４１は、後方に開口する箱状の形状を有している。ジョイントコネクタハウジング４１は、ハウジング１０を内挿するように、ハウジング１０に対して前方から組み付け可能となっている。
【００４４】
金属製のバスバー４２は、接地線用のバスバー４２ｓと、ＧＮＤ線用のバスバー４２ｇとを備える。バスバー４２ｓ、４２ｇは同形である。以下、特に区別する必要がある場合を除いて、バスバー４２ｓ、４２ｇそれぞれをバスバー４２と呼ぶ。
【００４５】
バスバー４２は、互いに平行に並ぶ複数（本例では、４本）の端子４３（オス端子）と、複数の端子４３の後端部を連結する連結部４４と、から構成される。バスバー４３ｓ，４３ｇは、それぞれの連結部４４がジョイントコネクタハウジング４１の内部の所定箇所に圧入されることで、上下２段で互いに平行な状態にてジョイントコネクタハウジング４１にそれぞれ固定される。これにより、ジョイントコネクタ４０の組み付けが完了する。
【００４６】
端子Ｔが収容されたコネクタ１とジョイントコネクタ４０とを嵌合させるため、ハウジング１０をジョイントコネクタハウジング４１の内部に挿入していくと、バスバー４２ｓの４本の端子４３が、ノイズ低減部材保持室２５の底壁に形成された上側の貫通孔（及び、ノイズ低減部材３０が保持されている箇所では、ノイズ低減部材３０の上側の貫通孔３１）を挿通していき、バスバー４２ｇの４本の端子４３が、ノイズ低減部材保持室２５の底壁に形成された下側の貫通孔（及び、ノイズ低減部材３０が保持されている箇所では、ノイズ低減部材３０の下側の貫通孔３１）を挿通していく。
【００４７】
コネクタ１とジョイントコネクタ４０との嵌合完了状態では、バスバー４２の４本の端子４３が上下２段で、ノイズ低減部材保持室２５の開口（ノイズ低減部材３０が保持されている箇所では、ノイズ低減部材３０の後面）から後方へ突出し、対応する端子Ｔ（メス端子）にそれぞれ挿入・接続される。即ち、バスバー４２の４本の端子４３それぞれについて、信号線用の上側の端子４３と下側の端子４３とが、４本の各２本線（ツイスト線）のうち対応する電線Ｗｓ、Ｗｇに接続されたそれぞれの端子Ｔと電気的に接続される。この結果、４本の電線Ｗが互いに導通接続される。
【００４８】
加えて、コネクタ１とジョイントコネクタ４０との嵌合完了状態では、ハウジング１０の上壁に設けられた係止部１５が、ジョイントコネクタハウジング４１に設けられた係止部４１ａと係合することで、当該嵌合完了状態が維持される（コネクタ１とジョイントコネクタ４０との分離が防止される）。
【００４９】
更に、ノイズ低減部材３０が保持されたノイズ低減部材保持室２５に対応する端子４３について、２本線（ツイスト線）を構成する各電線用の上下２段の端子４３間を跨ぐようにノイズ低減部材３０が配置される。この結果、この端子４３（或いは、この端子４３に対応する端子Ｔ）に発生するノイズが低減され得る。
【００５０】
以上説明したように、本実施形態に係るコネクタ１によれば、ノイズ低減部材３０が、ジョイントコネクタ４０側ではなく、ジョイントコネクタ４０と嵌合する本構成のコネクタ１側に配置される。従って、ジョイントコネクタ４０の組付完了後であっても、本構成のコネクタ１の組付時において、ノイズ低減部材３０を配置すべき端子Ｔに対応するノイズ低減部材保持室２５にノイズ低減部材３０を配置することで、ノイズ低減部材３０の配置を自由に変更・調整することができる。更に、ジョイントコネクタ４０にはノイズ低減部材３０を配置する必要がないので、ジョイントコネクタ４０の肥大化・高コスト化を抑制できる。
【００５１】
更に、端子Ｔの抜けを防止するための専用の部材をハウジング１０に組み付けることなく、且つ、ハウジング１０側に端子Ｔの抜けを防止する構成（いわゆるランス）を設けることなく、ハウジング１０にフォルダ２０を組み付けるだけで、端子Ｔの抜けを防止することができる。
【００５２】
更に、ハウジング１０へのフォルダ２０の組付完了後において、確認窓２６を利用して、ノイズ低減部材の配置を確認することができる。
【００５３】
以下、このコネクタ１が、電気回路を構成する幹線から支線を分岐させるために使用される場合について説明する。この場合、図４に示すように、コネクタ１は、幹線Ｗ１及び支線Ｗ２と接続された複数の端子Ｔを収容すると共に、ジョイントコネクタ４０と嵌合されて使用される。以下、コネクタ１とジョイントコネクタ４０とが嵌合して一体化されたコネクタを「分岐コネクタ」と呼ぶこともある。
【００５４】
なお、図４において、白丸は、電装品を表している（図５，７についても同様）。また、図４では、幹線Ｗ１及び支線Ｗ２の各々は、１本の実線で表されているが、実際には、上述したように、信号線とＧＮＤ線とから構成されている（図５，７についても同様）。
【００５５】
図４に示す例では、コネクタ１のハウジング１０内にて２本の幹線Ｗ１及び２本の支線Ｗ２と接続された４本の端子Ｔ（信号線用の端子とＧＮＤ線用の端子とを区別して数えれば、合計８本の端子Ｔ。具体的には、メス端子）が収容された状態で、コネクタ１とジョイントコネクタ４０とが嵌合されている。この結果、幹線Ｗ１と支線Ｗ２とが電気的に接続されることで、１つのコネクタ１（即ち、１つの分岐コネクタ）について、幹線Ｗ１から２本の支線Ｗ２が分岐する電気回路が形成される。
【００５６】
図４に示す例では、幅方向に並ぶ４本の端子Ｔのうち、幅方向内側の２本の端子Ｔが支線Ｗ２と接続され、幅方向外側の２本の端子Ｔが幹線Ｗ１と接続されている。このため、以下、幅方向内側の２本の端子Ｔを「支線接続用端子Ｔａ」と呼び、幅方向外側の２本の端子Ｔを「幹線接続用端子Ｔｂ」と呼ぶこともある。
【００５７】
図４に示す例では、フォルダ２０の幅方向に並ぶ４つのノイズ低減部材保持室２５のうち幅方向内側の２つのノイズ低減部材保持室２５にノイズ低減部材３０が保持されることで、２本の支線接続用端子Ｔａに対してノイズ低減部材３０が配置され、２本の幹線接続用端子Ｔｂに対してノイズ低減部材３０が配置されていない。更に、３つの分岐コネクタ（コネクタ１＋相手側コネクタ４０）が、幹線Ｗ１を介して直列に接続されている。
【００５８】
以下、図４に示した構成の作用・効果を説明するための準備として、先ず、図５に示すように、幅方向に並ぶ４本の端子Ｔの全てに対してノイズ低減部材３０が配置されず、且つ、３つの分岐コネクタが幹線Ｗ１を介して直列に接続された第１比較例について説明する。
【００５９】
一般に、この第１比較例のように、幹線Ｗ１から支線Ｗ２が分岐する電気回路では、主として、端末抵抗が幹線Ｗ１より大きい支線Ｗ２にて、反射波に起因するノイズ（リンギング）が発生し易い。このように主として支線Ｗ２にて反射波が発生したとしても、第１比較例では、４本の端子Ｔの全てに対してノイズ低減部材３０が配置されていないので、ノイズを低減することができない。
【００６０】
このため、図５にて矢印で示すように、幹線Ｗ１の入力側（左側）から出力側（右側）に信号が伝達される場合において、例えば、幹線Ｗ１の入力側から、図６に示すように、急峻に変化する矩形状の入力波形（破線を参照）を有する信号が与えられた場合、幹線Ｗ１の出力側における信号の出力波形（実線を参照）では、入力波形が変化するタイミングが到来する毎に、その直後にて比較的大きなノイズが発生し易い。
【００６１】
次に、図７に示すように、フォルダ２０の４つのノイズ低減部材保持室２５の全てにノイズ低減部材３０が保持されることで、４本の端子Ｔの全てに対してノイズ低減部材３０が配置され、且つ、３つの分岐コネクタが幹線Ｗ１を介して直列に接続された第２比較例について説明する。第２比較例では、２本の支線接続用端子Ｔａのみならず２本の幹線接続用端子Ｔｂに対してもノイズ低減部材３０が配置されている。
【００６２】
第２比較例において、図６に示したパターンと同じパターンで、幹線Ｗ１の入力側から矩形状の入力波形を有する信号が与えられた場合、図８に示すように、幹線Ｗ１の出力側における信号の出力波形（実線を参照）において、ノイズ（リンギング）は十分に低減される一方で、入力波形に対する出力波形の乱れ（遅れ）が過度に大きくなる。
【００６３】
この現象は、第２比較例では、幹線Ｗ１の入力側（左側）から出力側（右側）まで信号が伝達される経路の途中における多数の箇所（具体的には、１つのコネクタ１について２箇所、合計６箇所）にてノイズ低減部材３０が配置されていることで、ノイズ低減部材３０によるノイズ低減作用（いわゆるローパスフィルタの作用と類似の作用）が過度に効いてしまうことに起因する、と考えられる。
【００６４】
これら第１、第２比較例に対し、図４に示した構成において、図６に示したパターンと同じパターンで、幹線Ｗ１の入力側から矩形状の入力波形を有する信号が与えられた場合、図９に示すように、幹線Ｗ１の出力側における信号の出力波形（実線を参照）において、入力波形が変化するタイミングが到来しても、その直後にて図６にて示したような比較的大きなノイズは発生しない。加えて、図８に示したような入力波形に対する出力波形の乱れ（遅れ）も発生しない。
【００６５】
これは、ノイズが発生し易い２本の支線接続用端子Ｔａに対してノイズ低減部材３０が配置され、ノイズが発生し難い２本の幹線接続用端子Ｔｂに対してノイズ低減部材３０が配置されないことで、ノイズ低減部材３０によるノイズ低減作用が適度に効いたことに起因する、と考えられる。
【００６６】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６７】
例えば、上記実施形態では、図２に示すように、フォルダ２０は、端子収容室１１に収容された端子Ｔの抜けを防止するための係止部２２が設けられているが、フォルダ２０に係止部２２に相当する構成が設けられていなくてもよい。この場合、端子Ｔの抜けを防止するための専用の部材をハウジング１０に組み付ける、若しくは、ハウジング１０側に端子の抜けを防止する構成（いわゆるランス）を設けることが好適である。
【００６８】
更に、上記実施形態では、フォルダ２０に確認窓２６が設けられているが、確認窓２６が設けられていなくてもよい。
【００６９】
更に、図４に示した構成では、直列に接続された３つのコネクタ１に含まれる何れの幹線接続用端子Ｔｂに対しても、ノイズ低減部材３０が配置されていない。これに対し、直列に接続された複数のコネクタ１に含まれる複数の幹線接続用端子Ｔｂのうち一部の幹線接続用端子Ｔｂに対してノイズ低減部材３０が配置されていてもよい。
【００７０】
更に、図４に示した構成では、コネクタ１に含まれる全ての支線接続用端子Ｔａについてノイズ低減部材３０が配置されている。これに対し、コネクタ１に含まれる複数の支線接続用端子Ｔａのうち一部の支線接続用端子Ｔａについてノイズ低減部材３０が配置されていなくてもよい。
【００７１】
更に、図２に示した構成では、コネクタ１側の端子Ｔがメス端子であり、ジョイントコネクタ４０側の端子４３がオス端子であるが、コネクタ１側の端子Ｔがオス端子であり、ジョイントコネクタ４０側の端子４３がメス端子であってもよい。
【００７２】
ここで、上述した本発明に係るコネクタ１の実施形態の特徴を以下（１）〜（５）に簡潔に纏めて列記する。
（１）
互いに導通接続された複数の相手側端子（４３）を収容する相手側コネクタ（４０）の相手側ハウジング（４１）、と嵌合可能なハウジング（１０）と、
前記ハウジング（１０）に組み付けられるフォルダ（２０）と、
を備えたコネクタ（１）であって、
前記ハウジング（１０）は、
前記相手側ハウジング（４１）と前記ハウジング（１０）との嵌合時にて前記複数の相手側端子（４３）と接続される複数の端子（Ｔ）を収容するための複数の端子収容室（１１）を備え、
前記フォルダ（２０）は、
前記ハウジング（１０）への組付完了状態において、前記複数の端子収容室（１１）に収容された前記複数の端子（Ｔ）それぞれから発生するノイズを低減する複数のノイズ低減部材（３０）が、前記複数の端子（Ｔ）それぞれの前端面に隣接して配置されるように、前記複数のノイズ低減部材（３０）を保持するための複数のノイズ低減部材保持室（２５）を備える、
コネクタ（１）。
（２）
上記（１）に記載のコネクタ（１）において、
前記フォルダ（２０）は、
前記ハウジング（１０）への組付完了状態において、前記複数の端子収容室（１１）に収容された前記複数の端子（Ｔ）それぞれの所定箇所（Ｔ１）と係合して前記複数の端子（Ｔ）の抜けを防止する係止部（２２）を備える、
コネクタ（１）。
（３）
上記（１）又は（２）に記載のコネクタ（１）において、
前記フォルダ（２０）は、
前記ハウジング（１０）への組付完了状態において、前記ノイズ低減部材保持室（２５）に前記ノイズ低減部材（３０）が保持されているか否かを外部から確認するための確認窓（２６）を備える、
コネクタ（１）。
（４）
上記（１）〜（３）の何れか１つに記載のコネクタ（１）において、
前記複数の端子収容室（１１）に収容される前記複数の端子（Ｔ）のうち、一部の端子が、電気回路を構成する幹線（Ｗ１）及び支線（Ｗ２）のうちの幹線（Ｗ１）と電気的に接続される幹線接続用端子（Ｔｂ）であり、残りの端子が、前記電気回路を構成する支線（Ｗ２）と電気的に接続される支線接続用端子（Ｔａ）であり、
前記幹線接続用端子（Ｔｂ）に対応する前記ノイズ低減部材保持室（２５）には前記ノイズ低減部材（３０）が保持されず、
前記支線接続用端子（Ｔａ）の一部又は全部に対応する前記ノイズ低減部材保持室（２５）には前記ノイズ低減部材（３０）が保持される、
コネクタ（１）。
（５）
上記（１）〜（４）の何れか１つに記載のコネクタ（１）において、
前記ノイズ低減部材（３０）は、フェライトを含んで構成される、
コネクタ（１）。
【符号の説明】
【００７３】
１    コネクタ
１０    ハウジング
１１    端子収容室
２０    フォルダ
２２    係止部
２５    ノイズ低減部材保持室
２６    確認窓
３０    ノイズ低減部材
４０    ジョイントコネクタ（相手側コネクタ）
４１    ジョイントコネクタハウジング（相手側ハウジング）
４３    端子（相手側端子）
Ｔ      端子
Ｔ１    切欠部（所定箇所）
Ｔａ    支線接続用端子
Ｔｂ    幹線接続用端子
Ｗ１    幹線
Ｗ２    支線
【図１】
2019067736.tif 000003
【図２】
2019067736.tif 000004
【図３】
2019067736.tif 000005
【図４】
2019067736.tif 000006
【図５】
2019067736.tif 000007
【図６】
2019067736.tif 000008
【図７】
2019067736.tif 000009
【図８】
2019067736.tif 000010
【図９】
2019067736.tif 000011